(57)【要約】【課題】ＦＰＣ／ＦＦＣの挿入性が改善され、ＦＰＣ／ＦＦＣを確実に嵌合状態で接続できるコネクタを提供することを目的とする。【解決手段】ハウジング１と、ハウジング１に形成された平型導体（ＦＰＣ）６の挿入部１３に並設配置されたコンタクト５と、ハウジング１に回動可能且つ前後方向に移動可能に保持されたアクチュエータ２と、ハウジング１に保持され、係合片３１を有するガイド機構部材３とを備え、アクチュエータ２とガイド機構部材３とは、アクチュエータ２の回動操作及び前後方向の移動操作にそれぞれ連動してガイド機構部材３が上下動及び前後動するようにリンク結合されており、アクチュエータ２の回動、後方移動操作により、係合片３１が下方移動位置から上方移動位置に移動し、挿入部１３に挿入され半挿入状態にある平型導体６の被係合部６１と前記上方移動位置で係合して平型導体６をコンタクト５との接触規定位置に挿入案内すること。【選択図】図３
2011134488.tif 000002
【特許請求の範囲】
【請求項１】
接続対象物の挿入部が形成されたハウジングと、前記挿入部に並設配置されたコンタクトと、前記ハウジングに回動可能且つ前後方向に移動可能に保持されたアクチュエータと、前記ハウジングに保持されるとともに、係合片を有するガイド機構部材とを備え、
前記アクチュエータと前記ガイド機構部材とは、前記アクチュエータの回動操作及び前後方向の移動操作にそれぞれ連動して前記ガイド機構部材が上下動及び前後動するようにリンク結合されており、
前記アクチュエータの回動、後方移動操作により、前記係合片が下方移動位置から上方移動位置に移動し、前記挿入部に挿入され半挿入状態にある前記接続対象物の被係合部と前記上方移動位置で係合して前記接続対象物を前記コンタクトとの接触規定位置に挿入案内することを特徴とするコネクタ。
【請求項２】
前記ガイド機構部材は、前記ハウジングの側部に配設されるとともに、前記ハウジングに上下方向に移動可能且つ前記上方移動位置において後方に移動可能に保持され、
前記係合片は、前記挿入部の側部で上下動し、前記上方移動位置にあるとき前記挿入部に突出し、前記下方移動位置にあるとき前記挿入部から退避し、前記接続対象物の側部に設けた凸状又は凹状の前記被係合部と係合することを特徴とする請求項１記載のコネクタ。
【請求項３】
前記アクチュエータは、両側端部に回動中心軸となる第１の軸部を有し、前記ハウジングは、両側部に側壁部を有し、前記側壁部の内面に前後方向の支持溝を有し、前記アクチュエータを回動可能且つ前後方向に移動可能に前記支持溝に第１の軸部を挿入し保持することを特徴とする請求項２記載のコネクタ。
【請求項４】
前記アクチュエータは、前記両側端部に前記第１の軸部とは偏芯した第２の軸部を有し、
前記ガイド機構部材は、前記アクチュエータの側端部と対向しており、前記第１の軸部を前後方向で係合し上下方向でスライド可能とする縦長の第１の軸受溝部と、前記第２の軸部を上下方向で係合し前後方向でスライド可能とする横長の第２の軸受溝部を有し、前記第１の軸部及び前記第２の軸部と前記第１の軸受溝部及び前記第２の軸受溝部とで前記リンク結合を形成することを特徴とする請求項３記載のコネクタ。
【請求項５】
前記アクチュエータは、回動初期位置から回動中間位置までの第１の回動に連動して前記ガイド機構部材が上下動し、前記回動中間位置で前記ガイド機構部材と共に後方に移動可能に前記ガイド機構部材と前記リンク結合しており、
前記アクチュエータは、更に、前記回動中間位置から回動終了位置までの第２の回動に連動して前記コンタクトを前記接続対象物に押圧接触することを特徴とする請求項４記載のコンタクト。
【請求項６】
前記コンタクトはハウジングに固定される固定部と、前記固定部に接続される連結部と、前記挿入部内と前記ハウジングの上面上を前後方向に互いに平行に延び、前記連結部に連結される接点アーム部及び駆動アーム部とを有し、
前記アクチュエータは、前記両側端部に前記第１の軸部及び前記第２の軸部とは偏芯した第３の軸部と、前記第１の軸部と略同一軸線上に形成された加圧部と、先端Ｒ部を有し、
前記第２の回動時、前記アクチュエータは前記先端Ｒ部が前記ハウジングの上面に当接し前記先端Ｒ部の周囲に沿って回動することにより、前記加圧部とともに前記駆動アーム部を持ち上げ、前記駆動アーム部に接続された前記接点アーム部を上方に持ち上げて、前記挿入部の上壁部と前記接点アーム部との間に挿入された前記接続対象物に前記接点アーム部を押圧接触するようにしたことを特徴とする請求項５記載のコネクタ。
【請求項７】
前記先端Ｒ部は、前記第２の回動完了時に前記ハウジングの上面に平面的に接してその回動完了状態を保持する平面部を有することを特徴とする請求項６記載のコネクタ。
【請求項８】
前記ガイド機構部材の第３の軸受部は、前記アクチュエータの前記両側端部に形成された前記第３の軸部と、前記第２の回動完了時に前後方向で係合し、前記係合により前記ガイド機構部材の前後方向の移動を阻止することを特徴とする請求項７記載のコネクタ。
【発明の詳細な説明】
【技術分野】
【０００１】
本発明は、接続対象物を嵌合接続するコネクタに関し、特に、接続対象物の挿入性を改善し、確実に嵌合状態で固定できるコネクタに関する。
【背景技術】
【０００２】
ＦＰＣ（Ｆｌｅｘｉｂｌｅ  Ｐｒｉｎｔｅｄ  Ｃｉｒｃｕｉｔ）／ＦＦＣ（Ｆｌｅｘｉｂｌｅ  Ｆｌａｔ  Ｃａｂｌｅ）等の平型導体を接続対象物として嵌合接続するコネクタに関し、ＦＰＣ／ＦＦＣ保持機構をハウジング側に備えた従来構造のハウジング（従来技術１）を図１０に示す（特許文献１参照）。この従来構造のハウジング７１において、突起状のＦＰＣ／ＦＦＣロック部保持機構７２はハウジング７１のＦＰＣ／ＦＦＣ挿入部７４の挿入口両側の下側にある。そのため、ＦＰＣ／ＦＦＣ（接続対象物）を挿入する際、ＦＰＣ／ＦＦＣのロック部（耳部）７３は、ＦＰＣ／ＦＦＣロック部保持機構７２を乗り越えるようにしてＦＰＣ／ＦＦＣ挿入部７４に挿入し係合保持することが必要である。したがって、ＦＰＣ／ＦＦＣをＦＰＣ／ＦＦＣ挿入部７４に対し斜め上方向から挿入しなければならず、ＦＰＣ／ＦＦＣの挿入性に問題があった。
【０００３】
ＦＰＣ／ＦＦＣ保持機構がアクチュエータ側にある従来構造のハウジング（従来技術２）を図１１に示す（特許文献２参照）。この従来構造のハウジング８１においては、突起状のＦＰＣ／ＦＦＣロック部保持機構８２はアクチュエータ８３の側にあるので、ハウジング８１のＦＰＣ／ＦＦＣ挿入部８５に対してＦＰＣ／ＦＦＣを挿入した後、アクチュエータ８３を閉じることでＦＰＣ／ＦＦＣロック部保持機構８２をＦＰＣ／ＦＦＣのロック部(耳部）８４に係合し、ＦＰＣ／ＦＦＣを固定している。そのため、アクチュエータ８３を閉じる際にＦＰＣ／ＦＦＣのロック部（耳部）８４がハウジング８１とＦＰＣ／ＦＦＣ保持機構８２に挟まれることがあり、半嵌合状態となる不具合が発生しやすい。
【先行技術文献】
【特許文献】
【０００４】
【特許文献１】特開２００７−２９９５５４号公報
【特許文献２】特開２００２−３６７７３０号公報
【発明の概要】
【発明が解決しようとする課題】
【０００５】
上記したように、ＦＰＣ／ＦＦＣ（接続対象物）の保持機構をハウジングのＦＰＣ／ＦＦＣ挿入部の挿入口両端に突起状のＦＰＣ／ＦＦＣ保持機構を設ける構成においては、接続対象物の挿入性に問題があり、また、アクチュエータ側に形成した構成においては、接続対象物が半嵌合状態となる不具合の発生が問題であった。
【０００６】
そこで、本発明は、ハウジングに支持されたガイド機構部材の係合片が、ハウジングに支持されたアクチュエータの回動及び後方移動操作に連動して接続対象物を、下方移動位置から移動した上方移動位置で係合して接触規定位置に挿入案内することにより、接続対象物の挿入性を改善し、接続対象物を確実に嵌合状態で接続できるようにしたコネクタを提供することを目的とする。
【課題を解決するための手段】
【０００７】
上記課題を解決するために、本発明では、接続対象物の挿入部が形成されたハウジングと、前記挿入部に並設配置されたコンタクトと、前記ハウジングに回動可能且つ前後方向に移動可能に保持されたアクチュエータと、前記ハウジングに保持されるとともに、係合片を有するガイド機構部材とを備え、前記アクチュエータと前記ガイド機構部材とは、前記アクチュエータの回動操作及び前後方向の移動操作にそれぞれ連動して前記ガイド機構部材が上下動及び前後動するようにリンク結合されており、前記アクチュエータの回動、後方移動操作により、前記係合片が下方移動位置から上方移動位置に移動し、前記挿入部に挿入され半挿入状態にある前記接続対象物の被係合部と前記上方移動位置で係合して前記接続対象物を前記コンタクトとの接触規定位置に挿入案内するようにした。
【０００８】
さらに、前記ガイド機構部材は、前記ハウジングの側部に配設されるとともに、前記ハウジングに上下方向に移動可能且つ前記上方移動位置において後方に移動可能に保持され、前記係合片は、前記挿入部の側部で上下動し、前記上方移動位置にあるとき前記挿入部に突出し、前記下方移動位置にあるとき前記挿入部から退避し、前記接続対象物の側部に設けた凸状又は凹状の前記被係合部と係合するようにした。
【０００９】
さらに、前記アクチュエータは、両側端部に回動中心軸となる第１の軸部を有し、前記ハウジングは、両側部に側壁部を有し、前記側壁部の内面に前後方向の支持溝を有し、前記アクチュエータを回動可能且つ前後方向に移動可能に前記支持溝に第１の軸部を挿入し保持するようにした。
【００１０】
さらに、前記アクチュエータは、前記両側端部に前記第１の軸部とは偏芯した第２の軸部を有し、前記ガイド機構部材は、前記アクチュエータの側端部と対向しており、前記第１の軸部を前後方向で係合し上下方向でスライド可能とする縦長の第１の軸受溝部と、前記第２の軸部を上下方向で係合し前後方向でスライド可能とする横長の第２の軸受溝部を有し、前記第１の軸部及び前記第２の軸部と前記第１の軸受溝部及び前記第２の軸受溝部とで前記リンク結合を形成するようにした。
【００１１】
さらに、前記アクチュエータは、回動初期位置から回動中間位置までの第１の回動に連動して前記ガイド機構部材が上下動し、前記回動中間位置で前記ガイド機構部材と共に後方に移動可能に前記ガイド機構部材と前記リンク結合しており、前記アクチュエータは、更に、前記回動中間位置から回動終了位置までの第２の回動に連動して前記コンタクトを前記接続対象物に押圧接触するようにした。
【００１２】
さらに、前記コンタクトはハウジングに固定される固定部と、前記固定部に接続される連結部と、前記挿入部内と前記ハウジングの上面上を前後方向に互いに平行に延び、前記連結部に連結される接点アーム部及び駆動アーム部とを有し、前記アクチュエータは、前記両側端部に前記第１の軸部及び前記第２の軸部とは偏芯した第３の軸部と、前記第１の軸部と略同一軸線上に形成された加圧部と、先端Ｒ部を有し、前記第２の回動時、前記アクチュエータは前記先端Ｒ部が前記ハウジングの上面に当接し前記先端Ｒ部の周面に沿って回動することにより、前記加圧部とともに前記駆動アーム部を持ち上げ、前記駆動アーム部に接続された前記接点アーム部を上方に持ち上げて、前記挿入部の上壁部と前記接点アーム部との間に挿入された前記接続対象物に前記接点アーム部を押圧接触するようにした。
【００１３】
さらに、前記先端Ｒ部は、前記第２の回動完了時に前記ハウジングの上面に平面的に接してその回動完了状態を保持する平面部を有するようにした。
【００１４】
さらに、前記ガイド機構部材の第３の軸受部は、前記アクチュエータの前記両側端部に形成された前記第３の軸部と、前記第２の回動完了時に前後方向で係合し、前記係合により前記ガイド機構部材の前後方向の移動を阻止するようにした。
【発明の効果】
【００１５】
本発明のコネクタは、アクチュエータの回転および後方移動に連動して接続対象物をガイド機構部材により挿入部内の接触規定位置に挿入案内することができるので、接続対象物を確実に接続できる。また、本発明の接続対象物を保持する係合片がアクチュエータ初期状態において接続対象物の下面より下方位置（下方移動位置）にあるので、接続対象物を斜めから挿入する必要がなく、水平方向から挿入できるので、接続対象物の挿入性が良い。
【図面の簡単な説明】
【００１６】
【図１】本発明の実施形態１のコネクタの外観構成を示した斜視図である。
【図２】図１に示すコネクタを背面方向から見た斜視図である。
【図３】本発明の実施形態１のコネクタのＦＰＣ挿入前の分解図である。
【図４】本発明の実施形態１のコネクタのＦＰＣ挿入前（アクチュエータ開状態）の図１のＡ−Ａの矢視方向から見た断面図である。
【図５】本発明の実施形態１のコネクタのＦＰＣ挿入後（ＦＰＣの嵌合状態）の図１のＡ−Ａの矢視方向から見た嵌合断面図である。
【図６】（ａ）（ｂ）は本発明の実施形態１のコネクタのＦＰＣガイド機構移動軌跡（アクチュエータ初期状態）を説明する図であって、コネクタの図１のＢ−Ｂ断面を斜め前方から見た断面斜視図及び図１のＢ−Ｂの矢視方向から見た断面図である。
【図７】（ａ）（ｂ）は本発明の実施形態１のコネクタのＦＰＣガイド機構移動軌跡（アクチュエータ移動状態）を説明する図であって、コネクタの図１のＢ−Ｂ断面を斜め前方から見た断面斜視図及び図１のＢ−Ｂの矢視方向から見た断面図である。
【図８】（ａ）（ｂ）は本発明の実施形態１のコネクタのＦＰＣガイド機構移動軌跡（アクチュエータ回動可能状態）を説明する図であって、コネクタの図１のＢ−Ｂ断面を斜め前方から見た断面斜視図及び図１のＢ−Ｂの矢視方向から見た断面図である。
【図９】（ａ）（ｂ）は本発明の実施形態１のコネクタのＦＰＣガイド機構移動軌跡（アクチュエータ閉状態）を説明する図であって、コネクタの図１のＢ−Ｂ断面を斜め前方から見た断面斜視図及び図１のＢ−Ｂの矢視方向から見た断面図である。
【図１０】ＦＰＣ／ＦＦＣ保持従来機構を用いたコネクタの外観構成図と嵌合状態図である。（従来技術１）
【図１１】ＦＰＣ／ＦＦＣ保持従来機構を用いたコネクタの外観構成図と嵌合状態図である。（従来技術２）
【発明を実施するための形態】
【００１７】
図１〜図３を参照して、ＦＰＣ用コネクタの構造について説明する。本発明の実施形態１においては、接続対象物として、ＦＰＣ／ＦＦＣのような平型導体の中で特に、ＦＰＣを例にとって説明する。
【００１８】
コネクタのハウジング１の前面には平型導体としてＦＰＣ６（図３参照）が挿入保持されるＦＰＣ挿入部１３が設けられ、上面にはアクチュエータ２が設けられ、さらに、背面に一部が露出されるようにコンタクト５が設けられる（図２参照）。また、ハウジングの側壁部１５（図３参照）は、ガイド機構部材装着溝１２に装着されたガイド機構部材３、ホールドダウン圧入溝１４（図３参照）に圧入されたホールドダウン４を備えている。ここで、コネクタのハウジング１及びアクチュエータ２は、絶縁材料から形成される。
【００１９】
図３には、コネクタとして組み立てる前の、ハウジング１、アクチュエータ２、ガイド機構部材３、ホールドダウン４、並設配置されたコンタクト５、ガイド機構部材装着溝１２、ホールドダウン圧入溝１４、側壁部１５が示される。さらに、被係合部となるＦＰＣ耳部６１を備えたＦＰＣ６が示されている。
【００２０】
ハウジング１は、ＦＰＣ挿入部１３が前方に開口しており、左右の側壁部１５と後壁部１ａがハウジング１の上面から上方に突出している。側壁部１５にはガイド機構部材装着溝１２が形成されている。また、後壁部１ａにはコンタクト固定穴１ｂが並設され、ＦＰＣ挿入部１３の下面にはコンタクト挿入溝１ｃが並設されている。
側壁部１５のハウジング１の上面から突出する上方突出側壁部１５ａの内面には支持溝１６、第２支持溝１７が形成されている（図５参照）。また、支持溝１６、第２支持溝１７の前端側及び後端側にはこれらの支持溝間をつなぐようにして広がる第１逃げ溝１６ａ及び第２逃げ溝１６ｂが形成されている（図５参照）。
【００２１】
ガイド機構部材３は、前半部の上端が後半部の上端よりも一段高く形成された板状部材で、前端下部に直角に折れ曲がった係合片となるガイド機構腕部３１、前半部上端に第２の軸受溝部となるガイド機構枢支部３２、後半部上端に第１の軸受溝部となるアクチュエータ回転中心軸受部３３及び、第３の軸受溝部となるガイド機構保持軸受部３４を備えている。そして、ガイド機構枢支部３２は後向きに、アクチュエータ回転中心軸受部３３及びガイド機構保持軸受部３４は上向きに開口している（図６〜図９参照）。
ガイド機構部材３は、ガイド機構枢支部３２、アクチュエータ回転中心軸受部３３及びガイド機構保持軸受部３４を上方突出側壁部１５ａの内面に露出するようにして、ガイド機構部材装着溝１２に上下動可能、かつ上方移動位置において後方移動可能に装着されている。
また、ガイド機構部材３は、アクチュエータ２の回動及び後方移動に連動して上下動及び後方移動し、ＦＰＣ６をＦＰＣ挿入部１３内の所定の接触規定位置に挿入案内するガイド部材として機能する。
【００２２】
コンタクト５は、互いに対抗して延びるコンタクト枢支部(駆動アーム部）５１及びコンタクト接点部（接点アーム部）５２と、コンタクト枢支部５１及びコンタクト接点部５２の一端間を連結する連結部５４と、固定部５３と、連結部５４と固定部５３の間を連結する可撓部５５と、固定部５３から延びる基板接続部５６を備える。コンタクト５は、固定部５３をコンタクト固定穴１ｂに圧入することでハウジング１に装着固定され、コンタクト枢支部５１がハウジング１の上壁部１１上面に沿って前方に延び、コンタクト接点部５２がＦＰＣ挿入部１３の下面のコンタクト挿入溝１ｃ内を前方に延び、基板接続部５６がハウジング１の背面から外部に突出している（図５参照）。
【００２３】
アクチュエータ２は、底面側に開口部２ａを有する箱状で、前面２ｂが底面２ｃと鋭角をなすように傾斜してその鋭角部に先端Ｒ部２６を形成している。
また、アクチュエータ２の端部は、第２の軸部となるアクチュエータ軸部２２、第１の軸部となるアクチュエータ回転中心軸２３及び、第３の軸部となるガイド機構保持軸２４を備えている。ここで、第１の軸部、第２の軸部及び第３の軸部の軸芯が互いに異なる位置にある（偏芯している）ことは図面から明らかである（図５参照）。アクチュエータ２の前面２ｂの壁部には、コンタクト逃げ溝２５が並設され、コンタクト逃げ溝２５内にはアクチュエータ回転中心軸２３と同軸状に加圧部２１が形成されている。アクチュエータ回転中心軸２３と加圧部２１は、前面２ｂと先端Ｒ部２６との連続部に形成されている。
【００２４】
そして、アクチュエータ軸部２２、アクチュエータ回転中心軸２３及びガイド機構保持軸２４は、それぞれ対応する、ガイド機構枢支部３２、アクチュエータ回転中心軸受部３３及びガイド機構保持軸受部３４とリンク結合する。このリンク結合により、アクチュエータ２の第１の回動、後方移動及び第２の回動操作に連動してガイド機構部材３の所定の動作が行われる。
さらに、アクチュエータ回転中心軸２３は、側壁部１５の内面に形成された支持溝１６（図５参照）に挿入される。これにより、アクチュエータ２は、ハウジング１に対し回動可能且つ前後方向に移動可能に保持される。
【００２５】
図４を参照して、コネクタのＦＰＣ６挿入前のアクチュエータ開状態からコネクタのＦＰＣ６挿入後のＦＰＣ６の嵌合状態までの操作について、順次説明する。
【００２６】
図４のＦＰＣ６挿入前のアクチュエータ開状態から、ＦＰＣ６が挿入され、さらに、アクチュエータ２の第１の回動、後方移動及び第２の回動が順次行われる。アクチュエータ２の第１の回動、後方移動及び第２の回動は、それぞれ、図４の矢印（ａ）、（ｂ）及び（ｃ）の動作に対応している。
【００２７】
図４のアクチュエータ２の開状態において、アクチュエータ回転中心軸２３は支持溝１６に入って回転可能かつ前後に移動可能に保持されている。アクチュエータ軸部２２は第１逃げ溝１６ａに、ガイド機構保持軸２４は第２支持溝１７にそれぞれ入っている。また、コンタクト枢支部５１の先端部がコンタクト逃げ溝２５に入っている。そして、アクチュエータ２の前面２ｂがハウジング１の上面に当接してアクチュエータ２の開状態を保持し、アクチュエータ軸部２２が、支持溝１６と第２支持溝１７との間に形成される突条部１５ｂの前端に位置して、アクチュエータ２の開状態での後方への移動を阻止している。
【００２８】
図４のコネクタのＦＰＣ６挿入前のアクチュエータ開状態で、ＦＰＣ６をＦＰＣ挿入部１３に挿入し、ハウジング壁１１と、接点アーム部となるコンタクト接点部５２の間に位置させる。その後、アクチュエータ２を、図４の矢印（ａ）方向に、アクチュエータ回転中心軸２３を中心軸として所定の角度回転する（第１の回動）。すると、アクチュエータ２の加圧部２１近傍の先端Ｒ部２６が、ハウジング壁１１の上面に接するようになる。ここで、ハウジング壁１１は、ＦＰＣ挿入部１３の上壁部でもある。
【００２９】
また、第１の回動時に、コンタクト枢支部５１が、コンタクト逃げ溝２５に入っているため、アクチュエータ２の回動を抑制することはない。
さらに、アクチュエータ２の第１の回動において、アクチュエータ軸部２２及びガイド機構保持軸２４は移動（図６（ａ）（ｂ）中に矢印で示す方向に移動）し、アクチュエータ軸部２２は、第１逃げ溝１６ａから上方に移動し第２支持溝１７に入る。また、ガイド機構保持軸２４は第２支持溝１７内で若干上方に移動する。これにより、アクチュエータ２の後方移動が可能になる。
【００３０】
次に、アクチュエータ２が図４の矢印（ｂ）方向の後方に移動すると、加圧部２１は、ハウジング壁１１の上面とコンタクト枢支部５１との間に入り、その間に挟まれるようにして、後方に移動する。そのとき、アクチュエータ回転中心軸２３とアクチュエータ軸部２２は、それぞれ支持溝１６と第２支持軸１７に保持されて、後方に移動するため、アクチュエータ２は第１の回動姿勢を保持したまま後方に移動(図７（ａ）（ｂ）中に矢印で示す方向に移動）する。
【００３１】
ここで、アクチュエータ２にコンタクト逃げ溝２５が形成されているので、コンタクト枢支部５１はアクチュエータ２の後方移動を抑制せず、アクチュエータ２は滑らかに移動できる。アクチュエータ２の後方への移動は、アクチュエータ２の加圧部２１がコンタクト枢支部５１に設けられた段部５１ａに突き当たることで完了する。アクチュエータ２の後方移動が完了した状態では、アクチュエータ回転中心軸２３は支持溝１６から外れて第２逃げ溝１６ｂに入り、アクチュエータ軸部２２及びガイド機構保持軸２４も第２支持溝１７から外れて第２逃げ溝１６ｂに入り、共に移動自在になる。
ここで、ＦＰＣ６がＦＰＣ挿入部１３の最も後方(奥部）に挿入されコンタクト接点部５２に接触する位置を、ＦＰＣ６の接触規定位置という。そして、ＦＰＣ６は、接触規定位置において、コンタクト５と電気的に接続する。
【００３２】
さらに、ＦＰＣ６が接触規定位置にあり、アクチュエータ２の後方移動が完了した状態で、アクチュエータ２を図４に示された矢印（ｃ）方向に回転する（第２の回動）。すると、アクチュエータ回転中心軸２３、アクチュエータ軸部２２及びガイド機構保持軸２４は、第２逃げ溝１６ｂに移動自在に入っているため、以降、アクチュエータ２の先端Ｒ部２６がハウジング壁１１の上面に当接し、前記先端Ｒ部の周面に沿ってアクチュエータ２が回転する。最終的には図５で示されるようにアクチュエータ２の底面２ｃがハウジング壁１１の上面に当接したところで回転が止まり、第２の回動が完了する。
【００３３】
このとき、加圧部２１は、先端Ｒ部の先端及び底面２ｃから若干距離離れた位置（前面２ｂと先端Ｒ部２６との連結部）に形成されているため、その距離分加圧部２１が上方に持ち上げられる。
また、このとき、アクチュエータ回転中心軸２３、アクチュエータ軸部２２及びガイド機構保持軸２４は、第２逃げ溝１６ｂ内を移動(図８（ａ）（ｂ）中に矢印で示す方向に移動）する。
【００３４】
加圧部２１の持ち上がりに伴い、コンタクト枢支部５１が持ち上げられ、連結部５４を介してコンタクト枢支部５１と一体的に連結されたコンタクト接点部５２も可撓部５５の撓み変形により上方に持ち上げられる。そして、持ち上げられたコンタクト接点部５２とハウジング壁１１との間にＦＰＣ６が挟み込まれ、コンタクト接点部５２とＦＰＣ６とは、押圧接触する（図５参照）。
【００３５】
第２の回動状態から後方に移動したとき、第２支持溝１７に係合したアクチュエータ軸部２２及びガイド機構保持軸２４は、第２支持溝１７から第２逃げ溝１６ｂに移動して、係合が外れる（図５参照）。同様に、支持溝１６に係合したアクチュエータ回転中心軸２３は、支持溝１６から第２逃げ溝１６ｂに移動して、係合が外れる（図５参照）。  
【００３６】
図４の矢印（ｃ）で示す第２の回動が完了すると、図５(及び図９（ａ）（ｂ））に示された、アクチュエータ２の閉状態となる。この状態では、アクチュエータ２は、開口部２ａにハウジング後壁部１ａが入り、背面２ｄ側の壁部がハウジング１の背面に接するように覆って、ハウジング１に固定される。
【００３７】
図６〜図９の（ｂ）は、側壁部１５のガイド機構部材装着溝１２よりやや内側の図１のＢ−Ｂの矢視方向から見た断面図であって、側壁部１５の左上隅の「Ｌ」字状部分及び右下隅の逆「Ｌ」字状部分のみが断面である。
【００３８】
図６（ａ）（ｂ）〜図９（ａ）（ｂ）を参照して、ＦＰＣガイド機構の移動軌跡のアクチュエータ初期状態（アクチュエータ開状態）、アクチュエータ移動状態、アクチュエータ回動可能状態及びアクチュエータ閉状態の４つの状態について順次説明する。ここで、アクチュエータ２の（回動初期位置から回動中間位置への）第１の回動（図４の矢印（ａ）の回動に相当）に連動して、ガイド機構部材３は上方へ移動し、アクチュエータ２の後方移動(図４の矢印（ｂ）の後方移動に相当）に連動して、ガイド機構部材３は後方に移動し、アクチュエータ２の第２の回動（図４の矢印（ｃ）の回動に相当）に連動して、ガイド機構部材３は接触規定位置に保持される。
【００３９】
図６（ａ）（ｂ）は、アクチュエータ２が開状態にあるときにガイド機構部材装着溝１２内におけるガイド機構部材３の様子を示している。
図６（ａ）（ｂ）を用いてアクチュエータ２の開状態から、第１の回動により、ガイド機構腕部３１を含むガイド機構部材３を上方位置に移動させる操作について説明する。  
【００４０】
ガイド機構部材３は、ガイド機構部材装着溝１２内に上下動可能かつ前後動可能に装着されている。そして、ガイド機構部材３は、ガイド機構部材装着溝１２内の下方移動位置にあるとき、下端の後向き段部３５ａがガイド機構部材装着溝１２の前向き段部１８に係合して、ガイド機構部材３の後方への移動が阻止され、ガイド機構部材３を上方移動位置に移動するとその係合が外れて、ガイド機構部材３の後方への移動が可能になっている。また、ガイド機構部材３のガイド機構腕部３１は、ハウジング１の前面に沿って延び、ガイド機構部材３が下方移動位置にあるときＦＰＣ挿入部１３よりも低い位置（ＦＰＣ挿入部１３から下方に退避した位置）にあり、ガイド機構部材３が上方移動位置にあるときＦＰＣ挿入部１３に突出し、ガイド機構部材３の後方移動にしたがってＦＰＣ挿入部１３内を後方に移動するようになっている。
【００４１】
アクチュエータ２の開状態において、図６（ａ）（ｂ）に示されるように、ガイド機構部材３は、ガイド機構部材装着溝１２内の下方移動位置にある。このとき、ガイド機構部材３のガイド機構腕部３１は、ＦＰＣ挿入部１３より低く位置している（ＦＰＣ挿入部１３から退避した位置にある）。したがって、ＦＰＣ６はＦＰＣ挿入部１３に水平方向から挿入することができ、ＦＰＣ６の挿入が容易である。
また、アクチュエータ２の開状態において、アクチュエータ軸部２２がガイド機構部材３のガイド機構枢支部３２に入り、アクチュエータ回転中心軸２３がアクチュエータ回転中心軸受部３３の開口付近に位置し、ガイド機構保持軸２４はガイド機構保持軸受部３４から離れたところに位置している。
【００４２】
この状態で、アクチュエータ２を図６の矢印方向にアクチュエータ回転中心軸２３を中心として回転する（第１の回動）。ここで、横長のガイド機構枢支部３２は、アクチュエータ軸部２２を受け入れ上下方向で係合し、前後方向でスライド可能に保持している。したがって、アクチュエータ回転中心軸２３を中心とした回転により、アクチュエータ軸部２２は右斜め上方へ移動（回動）するとともに、ガイド機構枢支部３２は、アクチュエータ軸部２２とともに上方へ持ち上げられる。
【００４３】
次に、第１の回動において、ガイド機構枢支部３２と一体的な構造であるガイド機構部材３も上方に持ち上げられる。さらに、ガイド機構部材３と一体的な構造であるガイド機構腕部３１が、ＦＰＣ挿入部１３の下方の退避位置からＦＰＣ挿入部１３に突出した位置まで持ち上がり、ＦＰＣ挿入部１３に挿入されたＦＰＣ６の耳部６１を保持する。このとき、ガイド機構腕部３１の上面は、ＦＰＣ６の上面とほぼ同じ高さとなる。また、アクチュエータ回転中心軸２３より下に位置していたアクチュエータ回転中心軸受部３３もガイド機構部材３とともに上方に持ち上げられる。
【００４４】
すると、アクチュエータ回転中心軸部２３が縦長のアクチュエータ回転中心軸受部３３に入り、アクチュエータ回転中心軸受部３３は、アクチュエータ回転中心軸２３を前後方向で係合し保持する。また、この状態では、ガイド機構部材３の下端３５の段部３５ａは、アクチュエータ２の段部１８よりも高くなり互いの係合が外れる。ガイド機構部材３が上方移動位置にあるときは、ガイド機構腕部３１は、耳部６１の後端部と対向し係合する。
【００４５】
図７（ａ）（ｂ）は、本発明の実施形態１のコネクタのＦＰＣ６のガイド機構の移動軌跡のアクチュエータ２が移動可能な状態であって、アクチュエータ２の第１の回動後のガイド機構部材装着溝１２内におけるガイド機構部材３の様子を示す、図６（ａ）（ｂ）に相当する断面斜視図及び断面図である。以下に、この状態から、ガイド機構部材３を後方に移動することにより、第２の回動が可能な状態まで移動する操作について説明する。
【００４６】
図７（ａ）（ｂ）は、アクチュエータ２の第１の回動後の状態を示す。上述したように、アクチュエータ２の第１の回動後に、アクチュエータ２はハウジング１に対し後方移動が可能となる。また、アクチュエータ２の第１の回動により、ガイド機構部材３は、ガイド機構部材装着溝１２の上方移動位置に移動し、段部３５ａと段部１８との係合が外れて、後方移動が可能になる。そして、アクチュエータ２の第１の回動により、アクチュエータ回転中心軸２３は、アクチュエータ回転中心軸受部３３に入り、前後方向で係合する。したがって、この状態でアクチュエータ２に矢印方向（後方）への力を加えると、アクチュエータ回転中心軸２３がガイド機構部材３のアクチュエータ回転中心軸受部３３に保持された状態で、アクチュエータ２とともにガイド機構部材３が後方へ移動する。
【００４７】
また、アクチュエータ２の後方への移動に伴い、ガイド機構部材３とともに、ガイド機構腕部３１がＦＰＣ挿入部１３内を後方に移動する。ガイド機構腕部３１は、その後方移動により半挿入状態にあるＦＰＣ６のＦＰＣ耳部６１と係合して、ＦＰＣ６をＦＰＣ挿入部１３内奥部の所定の接触規定位置に挿入案内する。したがって、ＦＰＣ６はＦＰＣ挿入部１３内の所定の接触規定位置に確実に挿入案内される。
【００４８】
図８（ａ）（ｂ）は、本発明の実施形態１のコネクタのＦＰＣ６のガイド機構の移動軌跡のアクチュエータの回動が可能な状態であって、アクチュエータ２の後方移動後のガイド機構部材装着溝１２内におけるガイド機構部材３の様子を示す、図６（ａ）（ｂ）に相当する断面斜視図及び断面図である。以下に、この状態から、第２の回動により、アクチュエータの回動終了までの操作について説明する。なお、第２の回動により、アクチュエータ２は、回動中間位置から回動終了位置まで移動する。
【００４９】
図８（ａ）（ｂ）は、アクチュエータ２の後方移動後の状態を示す。この状態から、アクチュエータ２を回転させる（第２の回動）と、上述したように、アクチュエータ２は、先端Ｒ部２６がハウジング壁１１の上面に当接し、先端Ｒ部２６の周面に沿って回転し、加圧部２１を持ち上げる。このため、加圧部２１と同軸のアクチュエータ回転中心軸２３も持ち上げられ、図８（ｂ）中に矢印で示すように上方に移動し、アクチュエータ回転中心軸受部３３から抜け出る。
また、この第２の回動により、アクチュエータ軸部２２は、同図中に矢印で示すように後方に移動し、ガイド機構枢支部３２から抜け出る。ガイド機構保持軸２４は、同じく同図中に矢印で示すように回動し、ガイド機構保持軸受部３４に入る。
【００５０】
図９（ａ）（ｂ）は、本発明の実施形態１のコネクタのＦＰＣ６のガイド機構の移動軌跡のアクチュエータが閉の状態であって、アクチュエータ２の第２の回動後のガイド機構部材装着溝１２内におけるガイド機構部材３の様子を示す、図６（ａ）（ｂ）に相当する断面斜視図及び断面図である。第２の回動の最終段階において、上述したように、アクチュエータ２は、その背面２ｄ側の壁面がハウジング１の背面をほぼ覆い、ハウジング１の裏面に接するように固定される。また、アクチュエータ２に一体に形成されたガイド機構保持軸２４がガイド機構保持軸受部３４に入り、前後方向で係合し保持される。したがって、ガイド機構部材３の前方への移動が阻止され、ガイド機構部材３が固定される。そのため、ＦＰＣ６が挿入方向（後方向）と逆方向（前方向）に力を受けた際に、ガイド機構部材３が動くことがなく、ガイド機構腕部３１によりＦＰＣ６をＦＰＣ挿入部１３内の所定の接触規定位置に確実に保持する。
【００５１】
上述したように、本発明の実施形態１のコネクタのガイド機構は、アクチュエータ２の回転および後方移動に連動してＦＰＣ６をガイド機構部材３により正規の接触規定位置に挿入案内することができるので、半挿入状態にあってもＦＰＣ６をＦＰＣ挿入部１３内の正規の接触規定位置に確実に挿入することができる。また、本発明の実施形態１のＦＰＣ６を保持するガイド機構腕部３１がアクチュエータ開状態においてＦＰＣ挿入部１３より下方位置にあるので、ＦＰＣ６を斜めから挿入する必要がなく、水平方向から挿入でき、ＦＰＣ６の挿入性が良い。
【００５２】
また、本発明の実施形態１のコネクタの、軸部（第１の軸部２３、第２の軸部２２及び第３の軸部２４）を備えたアクチュエータ２の第１の回動及び後方への移動に連動して、軸受溝部（第１の軸受溝部３３、第２の軸受溝部３２及び第３の軸受溝部３４）を備えたガイド機構部材３は上方へ移動及び後方へ移動し、さらに、ガイド機構部材３のガイド機構腕部３１がＦＰＣ６の耳部６１を上方移動位置で保持し、ハウジング１のＦＰＣ挿入部１３に挿入案内することにより、ＦＰＣ６をコネクタに確実に嵌合状態で保持し接続できる。
【００５３】
これまで、ガイド機構部材３のガイド機構腕部（係合部）３１が係合するＦＰＣ６の被係合部として、ＦＰＣ６の側部から突出した凸状のＦＰＣ耳部６１のものとして説明した。しかし、被係止部６１は、凹状のものでもよい。その場合には、ガイド機構部材３に形成するガイド機構腕部(係合片）３１は、形状を適宜変更する。また、ＦＰＣ６の被係止部６１は、ガイド機構部材３の係合片３１と係合できる形状であれば、任意の形状で良い。
【００５４】
アクチュエータ２とガイド機構部材３とが、アクチュエータの回動操作及び前後方向の移動操作にそれぞれ連動して、ガイド機構部材が上下動及び前後動するようにリンク結合する手段として、アクチュエータ軸部２２、アクチュエータ回転中心軸２３及びガイド機構保持軸２４を備えたアクチュエータ２と、ガイド機構枢支部３２、アクチュエータ回転中心軸受部３３、及びガイド機構保持軸受部３４を備えたガイド機構部材３を用いて説明した。しかし、リンク結合の手段としては、上記の機構に限定されない。アクチュエータの回動操作及び前後方向の移動操作にそれぞれ連動して、ガイド機構部材が上下動及び前後動するようなリンク結合であれば、どのような機構でも構わない。
【符号の説明】
【００５５】
１    ハウジング
１ａ    後壁部
１ｂ    コンタクト固定穴
１ｃ    コンタクト挿入溝
２    アクチュエータ
２ａ    開口部
２ｂ    前面
２ｃ    底面
２ｄ    背面
３    ガイド機構部材
４    ホールドダウン
５    コンタクト
６    ＦＰＣ（平型導体）
１１    ハウジング壁（上壁部）
１２    ガイド機構部材装着溝
１３    ＦＰＣ挿入部（挿入部）
１４    ホールドダウン圧入溝
１５    側壁部
１５ａ    上方突出側壁部
１５ｂ    突条部
１６    支持溝
１６ａ    第１逃げ溝
１６ｂ    第２逃げ溝
１７    第２支持溝
１８    段部
２１    加圧部
２２    アクチュエータ軸部（第２の軸部）
２３    アクチュエータ回転中心軸（第１の軸部）
２４    ガイド機構保持軸（第３の軸部）
２５    コンタクト逃げ溝
２６    先端Ｒ部
３１    ガイド機構腕部（係合片）
３２    ガイド機構枢支部（第２の軸受溝部）
３３    アクチュエータ回転中心軸受部（第１の軸受溝部）
３４    ガイド機構保持軸受部（第３の軸受溝部）
３５    下端
３５ａ    段部
５１    コンタクト枢支部（駆動アーム部）
５１ａ    段部
５２    コンタクト接点部（接点アーム部）
５３    固定部
５４    連結部
５５    可撓部
５６    基板接続部
６１    ＦＰＣ耳部（被係合部）
７１    従来構造のハウジング
７２    ＦＰＣ／ＦＦＣロック部
７３    ＦＰＣ／ＦＦＣロック部保持機構
７４    ＦＰＣ／ＦＦＣ挿入部
８１    従来構造のハウジング
８２    ＦＰＣ／ＦＦＣロック部保持機構
８３    アクチュエータ
８４    ＦＰＣ／ＦＦＣロック部
８５    ＦＰＣ／ＦＦＣ挿入部
【図１】
2011134488.tif 000003
【図２】
2011134488.tif 000004
【図３】
2011134488.tif 000005
【図４】
2011134488.tif 000006
【図５】
2011134488.tif 000007
【図６】
2011134488.tif 000008
【図７】
2011134488.tif 000009
【図８】
2011134488.tif 000010
【図９】
2011134488.tif 000011
【図１０】
2011134488.tif 000012
【図１１】
2011134488.tif 000013